(57)【要約】【課題】  遊技者が第一図柄始動口及び第二図柄始動口への入賞を望む場合に、発射ハンドルによる打ち分け操作を不要にし、操作労力を軽減させる。【解決手段】  第一図柄始動口１４に対する遊技球の入賞に応じて第一の特別図柄を変動表示する第一図柄表示部１６と、第二図柄始動口１５に対する遊技球の入賞に応じて第二の特別図柄を変動表示する第二図柄表示部１７とを備えるパチンコ遊技機１において、第一図柄始動口１４に向けて遊技球を誘導する第一誘導経路２２と、第二図柄始動口１５に向けて遊技球を誘導する第二誘導経路２３と、所定の遊技領域に発射された遊技球を、可動部材２４の周期的な動作によって第一誘導経路２２と第二誘導経路２３とに振分ける振分け誘導装置２０とを備える。【選択図】        図３
2006218029.tif 000002
【特許請求の範囲】
【請求項１】
第一図柄始動口に対する遊技球の入賞に応じて第一の特別図柄を変動表示する第一図柄表示部と、第二図柄始動口に対する遊技球の入賞に応じて第二の特別図柄を変動表示する第二図柄表示部とを備える弾球遊技機において、
前記第一図柄始動口に向けて遊技球を誘導する第一誘導経路と、
前記第二図柄始動口に向けて遊技球を誘導する第二誘導経路と、
所定の遊技領域に発射された遊技球を、前記第一誘導経路と前記第二誘導経路とに振分ける振分け誘導装置と、を備えることを特徴とする弾球遊技機。
【請求項２】
前記第一図柄表示部と前記第二図柄表示部は、遊技盤面の左右に振分け状に配置され、
前記第一図柄始動口は、前記第一図柄表示部の下方に配置され、
前記第二図柄始動口は、前記第二図柄表示部の下方に配置され、
前記振分け誘導装置は、前記第一図柄表示部と前記第二図柄表示部の間の遊技領域に配置されることを特徴とする請求項１記載の弾球遊技機。
【請求項３】
前記振分け誘導装置は、シーソー状に揺動する可動部材を有し、該可動部材の周期的な動作によって遊技球を左右に振り分けることを特徴とする請求項１又は２記載の弾球遊技機。
【請求項４】
前記振分け誘導装置は、遊技球を一時的に保留する可動部材を有し、該可動部材の周期的な動作によって遊技球を左右に振り分けることを特徴とする請求項１又は２記載の弾球遊技機。
【請求項５】
前記第一誘導経路及び／又は前記第二誘導経路は、遊技球をパイプ状のガイド部材で誘導するワープ誘導経路であることを特徴とする請求項１〜４のいずれかに記載の弾球遊技機。
【発明の詳細な説明】
【技術分野】
【０００１】
本発明は、第一の特別図柄を変動表示する第一図柄表示部と、第二の特別図柄を変動表示する第二図柄表示部とを備えるパチンコ遊技機などの弾球遊技機に関する。
【背景技術】
【０００２】
始動口に対する遊技球の入賞に応じて特別図柄を変動表示すると共に、特別図柄に係る抽選に当選したとき、大入賞口を開放動作させる弾球遊技機が普及している。この種の弾球遊技機では、特別図柄抽選に当選することが最大の関心事であるため、始動口に多くの遊技球を入賞させることだけが遊技の目的となり、遊技が単調になり易いという問題がある。
【０００３】
そこで、第一図柄始動口に対する遊技球の入賞に応じて第一の特別図柄を変動表示する第一図柄表示部と、第二図柄始動口に対する遊技球の入賞に応じて第二の特別図柄を変動表示する第二図柄表示部とを備える弾球遊技機が提案される（例えば、特許文献１参照）。このような弾球遊技機によれば、特別図柄に係る抽選機会が増えるだけでなく、二つの図柄表示部で趣向の異なる演出を行うことができるので、弾球遊技機の遊技性を高めることが可能になる。
【特許文献１】特開２００３−２６０２４８号公報
【発明の開示】
【発明が解決しようとする課題】
【０００４】
上記のように構成される弾球遊技機では、少なくとも三つの遊技方法が想定される。第一は、専ら第一図柄始動口への入賞を狙って遊技球を発射させる遊技方法であり、第二は、専ら第二図柄始動口への入賞を狙って遊技球を発射させる遊技方法であり、第三は、第一図柄始動口と第二図柄始動口の両方への入賞を狙って遊技球を発射させる遊技方法である。
【０００５】
しかしながら、特許文献１のように、二つの始動口を左右に振分けて配置した場合には、仮に二つの始動口の間を狙って遊技球を発射しても、遊技球がいずれか一方の始動口に偏って誘導され、両方の始動口に入賞しない可能性がある。したがって、第三の遊技方法を望む遊技者は、発射ハンドルを操作して発射方向を打ち分ける必要が生じ、その結果、遊技者の操作労力が増大して遊技に対する興味が減退してしまう惧れがある。
【０００６】
なお、二つの始動口を上下方向に並べて、第三の遊技方法を容易にすることが考えられるが、この場合には、いずれか一方の始動口を狙って遊技球を発射する第一や第二の遊技方法が困難になるという問題がある。
【課題を解決するための手段】
【０００７】
本発明は、上記の如き実情に鑑みこれらの課題を解決することを目的として創作されたものであって、第一図柄始動口に対する遊技球の入賞に応じて第一の特別図柄を変動表示する第一図柄表示部と、第二図柄始動口に対する遊技球の入賞に応じて第二の特別図柄を変動表示する第二図柄表示部とを備える弾球遊技機において、前記第一図柄始動口に向けて遊技球を誘導する第一誘導経路と、前記第二図柄始動口に向けて遊技球を誘導する第二誘導経路と、所定の遊技領域に発射された遊技球を、前記第一誘導経路と前記第二誘導経路とに振分ける振分け誘導装置と、を備えることを特徴とする。このように構成すれば、振分け誘導装置が配置された所定の遊技領域に遊技球を発射するだけで、遊技球が適度に第一誘導経路と第二誘導経路とに振分けられ、第一図柄始動口及び第二図柄始動口への入賞が可能になる。これにより、第一図柄始動口及び第二図柄始動口への入賞を望む遊技者は、発射ハンドルによる打ち分け操作が不要になり、その結果、操作労力の軽減により遊技に対する興味を持続させることができる。
また、前記第一図柄表示部と前記第二図柄表示部は、遊技盤面の左右に振分け状に配置され、前記第一図柄始動口は、前記第一図柄表示部の下方に配置され、前記第二図柄始動口は、前記第二図柄表示部の下方に配置され、前記振分け誘導装置は、前記第一図柄表示部と前記第二図柄表示部の間の遊技領域に配置されることを特徴とする。このように構成すれば、第一図柄表示部の左側領域に遊技球を発射すれば、専ら第一図柄始動口への入賞を狙うことができ、また、第二図柄表示部の右側領域に遊技球を発射すれば、専ら第二図柄始動口への入賞を狙うことができ、更に、第一図柄表示部と第二図柄表示部の間の領域に遊技球を発射すれば、第一図柄始動口と第二図柄始動口の両方への入賞を狙うことが可能になる。
また、前記振分け誘導装置は、シーソー状に揺動する可動部材を有し、該可動部材の周期的な動作によって遊技球を左右に振り分けることを特徴とする。このように構成すれば、振分け誘導装置を簡素に構成し、コストダウンが図れる。
また、前記振分け誘導装置は、遊技球を一時的に保留する可動部材を有し、該可動部材の周期的な動作によって遊技球を左右に振り分けることを特徴とする。このように構成すれば、遊技球の落下タイミングに変化を与え、遊技球に対する興味を増大させることができる。
また、前記第一誘導経路及び／又は前記第二誘導経路は、遊技球をパイプ状のガイド部材で誘導するワープ誘導経路であることを特徴とする。このように構成すれば、振分け動作とワープ演出によって、遊技球に対する興味を増大させることができる。
【発明の効果】
【０００８】
以上のように構成された本発明によれば、所定の遊技領域に発射された遊技球を、第一誘導経路と第二誘導経路とに振分ける振分け誘導装置を備えることにより、所定の遊技領域に遊技球を発射するだけで、遊技球が適度に第一誘導経路と第二誘導経路とに振分けられ、第一図柄始動口及び第二図柄始動口への入賞が可能になる。これにより、第一図柄始動口及び第二図柄始動口への入賞を望む遊技者は、発射ハンドルによる打ち分け操作が不要になり、その結果、操作労力の軽減により遊技に対する興味を持続させることができる。
【発明を実施するための最良の形態】
【０００９】
［第一実施形態］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【００１０】
パチンコ遊技機１の正面は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、各種の制御基板とを備えている。
【００１１】
図３に示すように、遊技盤４には、第一図柄始動口１４、第二図柄始動口１５、第一図柄表示部１６、第二図柄表示部１７、大入賞口１８、アウト口１９、振分け誘導装置２０、遊技釘２１などが配置されている。第一図柄始動口１４に遊技球が入賞すると、第一の特別図柄に係る抽選処理が行われ、第二図柄始動口１５に遊技球が入賞すると、第二の特別図柄に係る抽選処理が行われる。第一又は第二の特別図柄に係る抽選に当選すると、大入賞口１８が連続的に開閉動作（例えば、１５ラウンド）され、遊技者が多くの遊技球を獲得できる。
【００１２】
第一及び第二図柄表示部１６、１７は、例えば液晶パネルを用いて構成されている。第一図柄表示部１６は、第一図柄始動口１４に対する遊技球の入賞に応じて、第一の特別図柄（又は第一の特別図柄に係る演出図柄）を変動表示し、これを所定時間後に停止させる。また、第二図柄表示部１７は、第二図柄始動口１５に対する遊技球の入賞に応じて、第二の特別図柄（又は第二の特別図柄に係る演出図柄）を変動表示し、これを所定時間後に停止させる。第一及び第二図柄表示部１６、１７が表示する図柄は、特別図柄抽選の当り／外れを示すものであれば特に制限はない。例えば、３つの図柄を変動表示し、当りのときは同じ図柄で停止させる。また、第一及び第二図柄表示部１６、１７においては、図柄表示だけでなく、リーチ予告演出、スーパーリーチ演出、大当り演出など、様々な演出表示を行うことができる。
【００１３】
本実施形態において、第一図柄表示部１６と第二図柄表示部１７は、遊技盤面の左右に振分け状に配置され、第一図柄始動口１４は、第一図柄表示部１６の下方に配置され、第二図柄始動口１５は、第二図柄表示部１７の下方に配置され、振分け誘導装置２０は、第一図柄表示部１６と第二図柄表示部１７の間の遊技領域に配置されている。このような配置構成のパチンコ遊技機１では、第一図柄表示部１６の左側領域に遊技球を発射する遊技方法と、第二図柄表示部１７の右側領域に遊技球を発射する遊技方法と、第一図柄表示部１６と第二図柄表示部１７との間の領域に遊技球を発射する遊技方法とが可能であり、遊技者の好みで遊技方法が選択される。
【００１４】
遊技盤面には、第一図柄始動口１４に向けて遊技球を誘導する第一誘導経路２２と、第二図柄始動口１５に向けて遊技球を誘導する第二誘導経路２３とが構成されている。本実施形態の第一誘導経路２２は、複数の遊技釘２１を並設して構成され、第一図柄表示部１６の左側領域に発射された遊技球や、第一図柄表示部１６と第二図柄表示部１７との間の領域に発射された遊技球を第一図柄始動口１４に向けて誘導する。また、本実施形態の第二誘導経路２３も、複数の遊技釘２１を並設して構成され、第二図柄表示部１７の右側領域に発射された遊技球や、第一図柄表示部１６と第二図柄表示部１７との間の領域に発射された遊技球を第二図柄始動口１５に向けて誘導する。
【００１５】
振分け誘導装置２０は、所定の遊技領域に発射された遊技球を、第一誘導経路２２と第二誘導経路２３とに振分けるように構成されている。このような振分け誘導装置２０を設けると、振分け誘導装置２０が配置された所定の遊技領域に遊技球を発射するだけで、遊技球が適度に第一誘導経路２２と第二誘導経路２３とに振分けられ、第一図柄始動口１４及び第二図柄始動口１５への入賞が可能になる。これにより、第一図柄始動口１４及び第二図柄始動口１５への入賞を望む遊技者は、発射ハンドル８による打ち分け操作が不要になり、その結果、操作労力の軽減により遊技に対する興味を持続させることができる。
【００１６】
図３及び図４に示すように、本実施形態の振分け誘導装置２０は、シーソー状に揺動する可動部材２４を有し、該可動部材２４の周期的な動作によって遊技球の振り分けを行う。具体的に説明すると、可動部材２４は、遊技盤４を貫通する支軸２５を支点として揺動可能に支持されており、図４の（Ａ）に示すように、遊技球を第一図柄始動口１４側へ誘導する左傾斜姿勢と、図４の（Ｂ）に示すように、遊技球を第二図柄始動口１５側へ誘導する右傾斜姿勢との間を周期的に往復動作するように構成される。なお、可動部材２４を周期的に動作させる機構としては、例えば、図４の（Ｃ）に示すように、支軸２５と一体の作動アーム２６を、連結ロッド２７及びクランクアーム２８を介してモータ２９に連結し、該モータ２９の一方向駆動にもとづいて、可動部材２４を往復揺動させる機構が用いられる。
【００１７】
叙述の如く構成された本実施形態のパチンコ遊技機１は、第一図柄始動口１４に対する遊技球の入賞に応じて第一の特別図柄を変動表示する第一図柄表示部１６と、第二図柄始動口１５に対する遊技球の入賞に応じて第二の特別図柄を変動表示する第二図柄表示部１７とを備えるが、更には、第一図柄始動口１４に向けて遊技球を誘導する第一誘導経路２２と、第二図柄始動口１５に向けて遊技球を誘導する第二誘導経路２３と、所定の遊技領域に発射された遊技球を、第一誘導経路２２と第二誘導経路２３とに振分ける振分け誘導装置２０とを備えるので、振分け誘導装置２０が配置された所定の遊技領域に遊技球を発射するだけで、遊技球が適度に第一誘導経路２２と第二誘導経路２３とに振分けられ、第一図柄始動口１４及び第二図柄始動口１５への入賞が可能になる。これにより、第一図柄始動口１４及び第二図柄始動口１５への入賞を望む遊技者は、発射ハンドル８による打ち分け操作が不要になり、その結果、操作労力の軽減により遊技に対する興味を持続させることができる。
【００１８】
また、第一図柄表示部１６と第二図柄表示部１７は、遊技盤面の左右に振分け状に配置され、第一図柄始動口１４は、第一図柄表示部１６の下方に配置され、第二図柄始動口１５は、第二図柄表示部１７の下方に配置され、振分け誘導装置２０は、第一図柄表示部１６と第二図柄表示部１７の間の遊技領域に配置されるので、第一図柄表示部１６の左側領域に遊技球を発射すれば、専ら第一図柄始動口１４への入賞を狙うことができ、また、第二図柄表示部１７の右側領域に遊技球を発射すれば、専ら第二図柄始動口１５への入賞を狙うことができ、更に、第一図柄表示部１６と第二図柄表示部１７の間の領域に遊技球を発射すれば、第一図柄始動口１４と第二図柄始動口１５の両方への入賞を狙うことが可能になる。
【００１９】
また、本実施形態の振分け誘導装置２０は、シーソー状に揺動する可動部材２４を有し、該可動部材２４の周期的な動作によって遊技球を左右に振り分けるので、振分け誘導装置２０を簡素に構成し、コストダウンが図れる。
【００２０】
［第二実施形態］
次に、本発明の第二実施形態に係るパチンコ遊技機について、図５及び図６を参照して説明する。これらの図に示すように、第二実施形態の遊技盤面に設けられる振分け誘導装置３０は、遊技球を一時的に保留する可動部材３１を有し、該可動部材３１の周期的な動作によって遊技球を左右に振り分ける点が第一実施形態と相違している。具体的に説明すると、第二実施形態の可動部材３１は、第一実施形態の可動部材２４と略同様に往復動作されるが、複数の遊技球を一時的に保留する凹部３１ａが形成されているので、遊技球の落下タイミングに変化を与えることができる。
【００２１】
［第三実施形態］
次に、本発明の第三実施形態に係るパチンコ遊技機について、図７及び図８を参照して説明する。これらの図に示すように、第三実施形態のパチンコ遊技機１は、第二実施形態と略同じ振分け誘導装置３０を備えるが、可動部材３１に保留した遊技球を、ワープ誘導経路からなる第一誘導経路３２と第二誘導経路３３に振り分ける点が前記実施形態と相違している。ワープ誘導経路としては、パイプ状のガイド部材で遊技球を誘導するものであれば特に制限はない。また、本実施形態のワープ誘導経路は、図柄表示部１６、１７の前下方位置で遊技球を遊動させるステージ３４を介して始動口１４、１５に遊技球を導くが、ステージ３４を介さずに遊技球を始動口１４、１５に誘導するようにしてもよい。
【００２２】
［第四実施形態］
次に、本発明の第四実施形態に係るパチンコ遊技機について、図９及び図１０を参照して説明する。これらの図に示すように、第四実施形態のパチンコ遊技機１は、第三実施形態と同様に、ワープ誘導経路からなる第一誘導経路３２及び第二誘導経路３３を備えるが、可動部材を持たない振分け誘導装置３５で遊技球を振り分ける点が前記実施形態と相違している。可動部材を持たない振分け誘導装置３５としては、例えば、いわゆるクルーンを用いることができる。クルーンは、複数の落下孔３５ａを有する皿状の役物であり、皿部３５ｂに乗った遊技球は、勢いがあるうちは皿部３５ｂの周囲を回り、勢いがなくなると皿部３５ｂの中心に近付き、いずれかの落下孔３５ａに落下する。本実施形態の振分け誘導装置３５は、二つの落下孔３５ａを有し、その一方が第一誘導経路３２に連通し、他方が第二誘導経路３３に連通される。これにより、可動部材やモータを用いることなく、遊技球を第一誘導経路３２と第二誘導経路３３に振り分けることが可能になる。
【図面の簡単な説明】
【００２３】
【図１】パチンコ遊技機の正面図である。
【図２】パチンコ遊技機の背面図である。
【図３】第一実施形態に係る遊技盤の正面図である。
【図４】（Ａ）〜（Ｃ）は第一実施形態に係る振分け誘導装置の説明図である。
【図５】第二実施形態に係る遊技盤の正面図である。
【図６】（Ａ）及び（Ｂ）は第二実施形態に係る振分け誘導装置の説明図である。
【図７】第三実施形態に係る遊技盤の正面図である。
【図８】（Ａ）及び（Ｂ）は第三実施形態に係る振分け誘導装置の説明図である。
【図９】第四実施形態に係る遊技盤の正面図である。
【図１０】（Ａ）及び（Ｂ）は第四実施形態に係る振分け誘導装置の説明図である。
【符号の説明】
【００２４】
１    パチンコ遊技機
４    遊技盤
１４  第一図柄始動口
１５  第二図柄始動口
１６  第一図柄表示部
１７  第二図柄表示部
２０  振分け誘導装置
２２  第一誘導経路
２３  第二誘導経路
２４  可動部材
３０  振分け誘導装置
３１  可動部材
３２  第一誘導経路
３３  第二誘導経路
３４  ステージ
３５  振分け誘導装置
【図１】
2006218029.tif 000003
【図２】
2006218029.tif 000004
【図３】
2006218029.tif 000005
【図４】
2006218029.tif 000006
【図５】
2006218029.tif 000007
【図６】
2006218029.tif 000008
【図７】
2006218029.tif 000009
【図８】
2006218029.tif 000010
【図９】
2006218029.tif 000011
【図１０】
2006218029.tif 000012